(57)【要約】【課題】利用者に省エネルギー意識を喚起し、利便性に優れた表示装置を提供することを目的とする。【解決手段】計時手段１と、計測手段２と、記憶手段３と、表示手段４と、制御手段５と、を備え、表示手段４には、第２グラフ２３が第１グラフ１８の時間座標軸１９に並行して表示され、制御手段５は、第１期間ごとのエネルギー使用量である第１累積値を第１グラフ１８として表示させ、エネルギー使用量の累積値を第２グラフ２３のバーグラフ値として表示させ、第２期間開始時点から現時点におけるエネルギー累積使用量の目標値である現在目標値を第２グラフ２３における第１グラフ１８の時間座標軸１９の現時点に対応した位置に表示させる、表示装置。【選択図】図１
2011179810.tif 000002
【特許請求の範囲】
【請求項１】
エネルギー使用量をグラフにして表示する表示装置であって、
時計とカレンダー機能とを有するとともに、第１期間と該第１期間よりも長い期間である第２期間を計時する計時手段と、
利用者が使用しているエネルギー使用量を計測する計測手段と、
前記計測手段が計測したエネルギー使用量を記憶する記憶手段と、
第１グラフ領域と、該第１グラフ領域と並行して配置される第２グラフ領域と、を有する表示手段と、
制御手段と、を備え、
前記表示手段の前記第１グラフ領域には、前記第２期間を最大の目盛りとする時間座標軸とエネルギー使用量を表す目盛りを有するデータ座標軸で表される第１グラフが表示され、
前記表示手段の前記第２グラフ領域には、バーグラフで表される第２グラフが前記第１グラフの前記時間座標軸に並行して表示され、
前記制御手段は、
前記第１期間ごとの前記エネルギー使用量である第１累積値を算出し、
該第１累積値を、前記第２期間開始時点から前記計時手段が定める現時点まで前記第１期間毎に前記第１グラフとして表示させ、
前記第２期間開始時点から前記計時手段が定める現時点までの前記エネルギー使用量の累積値を前記第２グラフのバーグラフ値として表示させ、
前記第２期間開始時点から前記計時手段が定める現時点におけるエネルギー累積使用量の目標値である現在目標値を前記第２グラフにおける前記第１グラフの前記時間座標軸の前記現時点に対応した位置に表示させることを特徴とする、表示装置。
【請求項２】
前記第２期間におけるエネルギーの目標使用量である設定目標値を設定するように構成された目標設定手段を備え、
前記制御手段は、前記目標設定手段が設定した設定目標値を前記第２グラフにおける前記第１グラフの前記時間座標軸の最大の目盛りに対応する位置に表示させることを特徴とする、請求項１に記載の表示装置。
【請求項３】
前記制御手段は、前記設定目標値を前記第１期間単位で算出し、該算出した値を基に前記現在目標値を算出することを特徴とする、請求項２に記載の表示装置。
【請求項４】
前記制御手段は、前記現在目標値を前記第２期間開始時点から経過した時間によって変更するように構成されていることを特徴とする、請求項２又は３に記載の表示装置。
【請求項５】
前記制御手段は、前記第２期間開始時点から前記現時点までの前記エネルギー使用量の累積値を［数１］により算出し、該算出した累積値を前記第２グラフのバーグラフ値として表示させ、
前記現在目標値を［数２］により算出することを特徴とする、請求項１に記載の表示装置。
［数１］
Ｄ２＝Ｒ２×Ｔ２／Ａ０
Ｄ２：バーグラフ値
Ｒ２：エネルギー使用量を第２期間の開始時点から前記現時点まで累積した値
Ｔ２：第２期間
Ａ０：設定目標値
［数２］
ＡＮ＝Ａ２×Ｔ０／Ｔ２
ＡＮ：現在目標値
Ａ２：設定目標値
Ｔ０：第２期間の開始時点から前記現時点までの経過時間
Ｔ２：第２期間
【請求項６】
前記計時手段は、前記第２期間よりも長い期間である第３期間を計時し、
前記表示装置は、前記第３期間におけるエネルギーの目標使用量である設定目標値を設定するように構成された目標設定手段を備え、
前記制御手段は、前記目標設定手段が設定した前記設定目標値から前記第２期間におけるエネルギーの目標使用量である第２目標値を算出し、
前記第３期間開始時点から前記現時点までの前記エネルギー使用量の累積値を［数３］により算出し、該算出した累積値を前記第２グラフのバーグラフ値として表示させ、
前記現在目標値を［数４］により算出することを特徴とする、請求項１に記載の表示装置。
［数３］
Ｄ４＝Ｒ４×Ｔ３／Ａ３
Ｄ４：バーグラフ値
Ｒ４：エネルギー使用量を第２期間の開始時点から前記現時点まで累積した値
Ｔ３：第３期間
Ａ３：設定目標値
［数４］
ＡＮ＝Ａ２×Ｔ０／Ｔ２
ＡＮ：現在目標値
Ａ２：第２目標値
Ｔ０：第２期間の開始時点から前記現時点までの経過時間
Ｔ２：第２期間
【請求項７】
前記第２期間は前記第１期間の１以外の整数倍であることを特徴とする、請求項１〜５のいずれか１項に記載の表示装置。
【請求項８】
前記第３期間は前記第２期間の１以外の整数倍であることを特徴とする、請求項６に記載の表示装置。
【請求項９】
前記制御手段は、前記第１期間におけるエネルギーの目標使用量である第１目標値を前記設定目標値に基づいて算出し、該算出した第１目標値を線グラフとして前記第１グラフと重ねて表示させることを特徴とする、請求項１〜５のいずれか１項に記載の表示装置。
【請求項１０】
前記制御手段は、前記第１期間におけるエネルギーの目標使用量である第１目標値を前記第２目標値に基づいて算出し、該算出した第１目標値を線グラフとして前記第１グラフと重ねて表示させることを特徴とする、請求項６に記載の表示装置。
【請求項１１】
前記制御手段は、前記第１目標値を前記第２期間開始時点から経過した時間によって変更するように構成されていることを特徴とする、請求項９又は１０に記載の表示装置。
【請求項１２】
前記第１目標値は、前記設定目標値を前記第２期間で除算した値であることを特徴とする、請求項９に記載の表示装置。
【請求項１３】
前記第１目標値は、前記設定目標値を前記第３期間で除算した値であることを特徴とする、請求項１０に記載の表示装置。
【請求項１４】
前記第２グラフは、前記時間座標軸方向の長さが、前記第１グラフよりも長くなるように設定されていることを特徴とする、請求項１〜１３のいずれか１項に記載の表示装置。
【請求項１５】
前記第１の期間が１日、前記第２の期間が１ヶ月であることを特徴とする、請求項１〜１４のいずれか１項に記載の表示装置。
【請求項１６】
前記第１の期間が１日、前記第２の期間が１週間であることを特徴とする、請求項１〜１４のいずれか１項に記載の表示装置。
【請求項１７】
前記第１の期間が１時間、前記第２の期間が１日、及び前記第３の期間が１ヶ月であることを特徴とする、請求項６、８、１０、１１、１３、１４のいずれか１項に記載の表示装置。
【請求項１８】
請求項１〜１７のいずれか１項に記載の表示装置と、
エネルギーを使用して水を加熱して給湯を行う給湯器と、を備えることを特徴とする、給湯装置。
【発明の詳細な説明】
【技術分野】
【０００１】
本発明は、電気やガス等のエネルギー使用量やエネルギー使用量の代替指標となる使用湯量をグラフ表示する表示装置及びそれを備える給湯装置に関し、特に、表示装置の構成に関するものである。
【背景技術】
【０００２】
電気やガス等のエネルギー使用量等の情報から、利用者に省エネルギー意識を喚起させるエネルギーコントロールシステムが知られている（例えば、特許文献１参照）。また、エネルギー使用量に対する訴求力を高くすることを目的とした情報端末が知られている（例えば、特許文献２参照）。
【０００３】
ここで、図１４は、特許文献１に開示されているエネルギーコントロールシステムの表示部のディスプレイに表示された画面の一例を示すものである。図１５は、特許文献２に開示されている情報末端の表示部における表示の例を示す図である。
【０００４】
図１４に示すように、特許文献１に開示されているエネルギーコントロールシステムでは、１つの画面にエネルギー実績の累積使用量を棒グラフで表している。そして、省エネ目標値に対して上回った部分は、黒塗り部分Ａのように棒グラフで違う色で表示している。
【０００５】
また、図１５に示すように、特許文献２に開示されている情報末端では、１つの画面に単位時間毎のエネルギー消費量を棒グラフで表示すると共に、所定期間全体に対する目標基準値から比例配分により算出される、前記単位時間経過時における目標基準値を表示している。
【先行技術文献】
【特許文献】
【０００６】
【特許文献１】特開２００３−５０６２６号公報
【特許文献２】特開２００６−１３７８０号公報
【発明の概要】
【発明が解決しようとする課題】
【０００７】
しかしながら、特許文献１に開示されているエネルギーコントロールシステムや、特許文献２に開示されている情報末端では、１の画面に表示されている情報が、ある単位期間（図１４及び図１５では、月単位）における実績累積値とその目標値だけである。このため、利用者にとって省エネルギー意識を喚起するには、その情報量が不充分であった。そして、利用者は、省エネ生活を実行するために必要な情報を得るためには、画面を切り替えて、表示されている単位期間よりも短い、あるいは表示されている単位期間よりも長い単位期間についての情報を得る必要があった。したがって、上記特許文献１に開示されているエネルギーコントロールシステムや、特許文献２に開示されている情報末端では、利用者に省エネルギー意識を喚起するには不充分であり、利便性について改善の余地があった。
【０００８】
本発明は、上記のような課題を解決するためになされたもので、利用者に省エネルギー意識を喚起し、利便性に優れた表示装置及びそれを備える給湯装置を提供することを目的とする。
【課題を解決するための手段】
【０００９】
上記課題を解決するために、本発明に係る表示装置は、エネルギー使用量をグラフにして表示する表示装置であって、時計とカレンダー機能とを有するとともに、第１期間と該第１期間よりも長い期間である第２期間を計時する計時手段と、利用者が使用しているエネルギー使用量を計測する計測手段と、前記計測手段が計測したエネルギー使用量を記憶する記憶手段と、第１グラフ領域と、該第１グラフ領域と並行して配置される第２グラフ領域と、を有する表示手段と、制御手段と、を備え、前記表示手段の前記第１グラフ領域には、前記第２期間を最大の目盛りとする時間座標軸とエネルギー使用量を表す目盛りを有するデータ座標軸で表される第１グラフが表示され、前記表示手段の前記第２グラフ領域には、バーグラフで表される第２グラフが前記第１グラフの前記時間座標軸に並行して表示され、前記制御手段は、前記第１期間ごとの前記エネルギー使用量である第１累積値を算出し、該第１累積値を、前記第２期間開始時点から前記計時手段が定める現時点まで前記第１期間毎に前記第１グラフとして表示させ、前記第２期間開始時点から前記計時手段が定める現時点までの前記エネルギー使用量の累積値を前記第２グラフのバーグラフ値として表示させ、前記第２期間開始時点から前記計時手段が定める現時点におけるエネルギー累積使用量の目標値である現在目標値を前記第２グラフにおける前記第１グラフの前記時間座標軸の前記現時点に対応した位置に表示させることを特徴とする。
【００１０】
これにより、単位時間当たりのエネルギーの使用量と該エネルギー使用量の累積値を１画面に表示され、かつ、第２グラフの現時点の目標値の表示が第１グラフで表示されるグラフの時間座標軸と関連付けられている。このため、利用者にとって、従来技術よりも１の画面で多くの情報を得ることができ、得られる情報が持つ意味を理解しやすい。
【００１１】
本発明の上記目的、他の目的、特徴、及び利点は、添付図面参照の下、以下の好適な実施形態の詳細な説明から明らかにされる。
【発明の効果】
【００１２】
本発明に係る表示装置及びそれを備える給湯装置は、利用者にとって、従来技術よりも１の画面で多くの情報を得ることができ、得られる情報が持つ意味を理解しやすい。このため、本発明に係る表示装置及びそれを備える給湯装置は、従来技術に比して、利用者に省エネルギー意識をより喚起することが可能となる。また、本発明に係る表示装置及びそれを備える給湯装置では、従来技術に比して、画面を切り替えるといった操作を簡略化することができ、利便性に優れる。
【図面の簡単な説明】
【００１３】
【図１】図１は、本発明の実施の形態１に係る表示装置及びそれを備える給湯装置の概略構成を示すブロック図である。
【図２】図２は、図１に示す表示装置の外観構成を示す模式図である。
【図３】図３は、図２に示す表示装置における表示手段が表示する画面の一例を示す模式図である。
【図４】図４は、図２に示す表示装置における表示手段が表示する画面の一例を示す模式図である。
【図５】図５は、図２に示す表示装置における表示手段が表示する画面の一例を示す模式図である。
【図６】図６は、図２に示す表示装置における表示手段が表示する画面の一例を示す模式図である。
【図７】図７は、図２に示す表示装置における表示手段が表示する画面の一例を示す模式図である。
【図８】図８は、図２に示す表示装置における表示手段が表示する画面の一例を示す模式図である。
【図９】図９は、本発明の実施の形態２に係る表示装置における表示手段が表示する画面の一例を示す模式図である。
【図１０】図１０は、本発明の実施の形態２に係る表示装置における表示手段が表示する画面の一例を示す模式図である。
【図１１】図１１は、本変形例１の表示装置における表示手段が表示する画面の一例を示す模式図である。
【図１２】図１２は、本発明の実施の形態３に係る表示装置における表示手段が表示する画面の一例を示す模式図である。
【図１３】図１３は、本発明の実施の形態３に係る表示装置における表示手段が表示する画面の一例を示す模式図である。
【図１４】図１４は、特許文献１に開示されているエネルギーコントロールシステムの表示部のディスプレイに表示された画面の一例を示すものである。
【図１５】図１５は、特許文献２に開示されている情報末端の表示部における表示の例を示す図である。
【発明を実施するための形態】
【００１４】
以下、本発明の好ましい実施の形態を、図面を参照しながら説明する。なお、全ての図面において、同一又は相当部分には同一符号を付し、重複する説明は省略する。また、全ての図面において、本発明を説明するために必要となる構成要素のみを抜粋して図示しており、その他の構成要素については図示を省略している。さらに、本発明は以下の実施の形態に限定されない。
【００１５】
（実施の形態１）
本発明の実施の形態１に係る表示装置は、エネルギー使用量をグラフにして表示する表示装置であって、時計とカレンダー機能とを有するとともに、第１期間と該第１期間よりも長い期間である第２期間を計時する計時手段と、利用者が使用しているエネルギー使用量を計測する計測手段と、計測手段が計測したエネルギー使用量を記憶する記憶手段と、第１グラフ領域と、該第１グラフ領域と並行して配置される第２グラフ領域と、を有する表示手段と、制御手段と、を備え、表示手段の第１グラフ領域には、第２期間を最大の目盛りとする時間座標軸とエネルギー使用量を表す目盛りを有するデータ座標軸で表される第１グラフが表示され、表示手段の第２グラフ領域には、バーグラフで表される第２グラフが第１グラフの時間座標軸に並行して表示され、制御手段が、第１期間ごとのエネルギー使用量である第１累積値を算出し、該第１累積値を、第２期間開始時点から計時手段が定める現時点まで第１期間毎に第１グラフとして表示させ、第２期間開始時点から計時手段が定める現時点までのエネルギー使用量の累積値を第２グラフのバーグラフ値として表示させ、第２期間開始時点から計時手段が定める現時点におけるエネルギー累積使用量の目標値である現在目標値を第２グラフにおける第１グラフの前記時間座標軸の現時点に対応した位置に表示させる態様を例示するものである。
【００１６】
ここで、「バーグラフ」とは、帯状で、進退するように表示されるグラフをいう。
【００１７】
また、「計時手段が定める現時点」とは、計時手段が第２期間開始時点から計時して、第２期間終了時点に至っていない場合には、計時手段が計時した現在時刻（時点）をいい、第２期間終了時点を過ぎている場合には、第２期間終了時点をいう。
【００１８】
さらに、「第１期間と該第１期間よりも長い期間である第２期間」の組み合わせとしては、例えば、「１時間と１日」が挙げられる。また、他の例としては、「１日と１週間」や「１日と１ヶ月」が挙げられる。すなわち、第１期間と第２期間は、第２期間が、第１期間の１以外の整数倍であれば、任意に設定することができる。
【００１９】
［給湯装置の構成］
図１は、本発明の実施の形態１に係る表示装置及びそれを備える給湯装置の概略構成を示すブロック図である。
【００２０】
図１に示すように、本発明の実施の形態１に係る給湯装置１００は、表示装置５１と給湯器５２を備えている。表示装置５１は、計時手段１、計測手段２、記憶手段３、表示手段４、及び制御手段５を備えている。また、給湯器５２は、本実施の形態１においては、電気を用いて水を加熱してお湯にする電気給湯器で構成されている。なお、給湯器５２としては、天然ガス等の可燃性ガスを燃焼することにより、水を加熱してお湯にするガス給湯器で構成されていてもよく、燃料電池やガス発電機などの熱電併給装置から熱を吸収してお湯を溜める給湯タンクで構成されていてもよい。
【００２１】
計時手段１は、時計とカレンダー機能を有していて、計時した時刻を制御手段５に出力するように構成されている。なお、本発明でいう時刻には、年月日情報と時間（時分）情報の両方が含まれる。
【００２２】
計測手段２は、給湯器５２で使用された電気やお湯の使用量を計測し、制御手段５に出力するように構成されている。計測手段２としては、例えば、給湯器５２での電気の使用量を計測する電流計が挙げられる。また、計測手段２としては、例えば、給湯器５２でお湯の使用量を計測する温度センサや流量計が挙げられる。
【００２３】
制御手段５は、表示装置５１を構成する各手段を制御するように構成されていればどのような形態であってもよい。制御手段５としては、例えば、マイクロプロセッサ、ＣＰＵ等に例示される演算処理器で構成されていてもよい。また、記憶手段３は、各種のデータを記憶するように構成されていれば、どのような形態であってもよい。記憶手段３としては、例えば、不揮発性メモリや揮発性メモリ等のメモリが挙げられる。
【００２４】
そして、記憶手段３に記憶されている所定のソフトウェアを制御手段５が実行することによって、目標設定手段６が実現される。目標設定手段６は、本実施の形態１においては、第２期間におけるエネルギー使用量の目標使用量である設定目標値を設定するように構成されている。具体的には、例えば、工場からの出荷時に一般家庭における１ヶ月（第２期間の一例）のエネルギー使用量の平均値が予め記憶手段３に記憶されていて、目標設定手段６は、記憶手段３に記憶された当該平均値を設定目標値として設定してもよい。
【００２５】
また、目標設定手段６は、給湯装置１００を利用者が使用することにより、蓄積されたエネルギー使用量を基にして、設定目標値を設定してもよい。目標設定手段６は、例えば、前年の同月におけるエネルギー使用量を設定目標値に設定してもよく、また、１年間のエネルギー使用量の平均値を設定目標値に設定してもよい。
【００２６】
また、制御手段５は、計時手段１で計時された時刻情報や計測手段２で計測された給湯器５２のエネルギー使用量を記憶手段３に記憶させる。具体的には、制御手段５は、計測手段２で計測されたエネルギー使用量を記憶手段３に記憶させるとともに、エネルギー使用量の第１期間ごとの累積値である第１累積値を算出し、該第１累積値も記憶手段３に記憶させる。なお、記憶手段３には、第１期間の途中においては、第１期間の開始時点から現在時点までのエネルギー使用量が記憶される。また、制御手段５は、第１累積値を一定期間（例えば、１３ヶ月）分のデータを記憶手段３に記憶させ、それ以前のデータに関しては、一定期間（例えば、第２期間）ごとに記憶手段３から削除してもよい。
【００２７】
なお、制御手段５は、単独の制御手段で構成される形態だけでなく、複数の制御手段が協働して、給湯装置１００の制御を実行する制御手段群で構成される形態であっても構わない。また、制御手段５は、マイクロコントローラで構成されていてもよく、ＭＰＵ、ＰＬＣ(Ｐｒｏｇｒａｍｍａｂｌｅ  Ｌｏｇｉｃ  Ｃｏｎｔｒｏｌｌｅｒ)、論理回路等によって構成されていてもよい。
【００２８】
表示手段４は、第１グラフ領域７と該第１グラフ領域７と並行して配置される第２グラフ領域８を有している。表示手段４としては、画像を表示することができれば、どのような形態であってもよく、例えば、ＬＣＤやＬＥＤを用いることができる。
【００２９】
［表示装置の構成］
次に、本実施の形態１に係る表示装置５１の構成について、図２を参照しながら、詳細に説明する。
【００３０】
図２は、図１に示す表示装置の外観構成を示す模式図である。
【００３１】
図２に示すように、本実施の形態１に係る表示装置５１には、表示手段（表示画面）４とダイレクトスイッチ群９が設けられている。ダイレクトスイッチ群９は、給湯器５２を操作するための各スイッチを有しており、エコライブラリースイッチ１０を押すことにより、後述するエコライブラリー設定が行われる。なお、エコライブラリー設定とは、第１グラフ領域７及び第２グラフ領域８のそれぞれに第１グラフ及び第２グラフを表示させる設定をいう。また、表示装置５１は、エコライブラリー設定動作時には、表示灯１１が点灯するように構成されている。
【００３２】
表示手段４には、画面に直接触れて操作するタッチパネル群１２と操作状態等を表示する表示画面１３が表示される。タッチパネル群１２は、メニューキー１４、▽キー１５、△キー１６、及び確定キー１７を有していて、各キーを操作することにより、エコライブラリー設定を行う。そして、エコライブラリー設定を行うことにより、第１グラフ及び第２グラフが表示画面１３に表示される。
【００３３】
［表示手段の構成］
次に、本実施の形態１に係る表示装置５１の表示手段４の構成、特に、第１グラフ領域７及び第２グラフ領域８の構成について、図３を参照しながら、詳細に説明する。
【００３４】
図３は、図２に示す表示装置における表示手段が表示する画面の一例を示す模式図である。なお、図３は、第１期間を１日と設定し、第２期間を１ヶ月と設定した場合の例である。
【００３５】
図３に示すように、表示手段４の下部には、第１グラフ領域７が配置されている。表示手段４の第１グラフ領域７の上方には、第２グラフ領域８が第１グラフ領域７と並行するように配置されている。また、表示手段４の第２グラフ領域８の上方には、今月の設定目標値（本実施の形態１においては、３２０６ｋＷｈ）と、第２期間開始時点から現時点までのエネルギー使用量の累積値である実績値（本実施の形態１においては、２３０４ｋＷｈ）が表示されている。
【００３６】
第１グラフ領域７には、第１グラフ１８が表示される。第１グラフ１８は、第２期間（本実施の形態１においては、１ヶ月（３０日））を最大の目盛りとする時間座標軸１９とエネルギー使用量を表すメモリを有するデータ座標軸２０で表される。具体的には、第１グラフ１８は、第１期間（本実施の形態１においては、１日）ごとの第１累積値２２を棒グラフとして表したものである。また、第１グラフ領域７には、第２期間におけるエネルギーの目標使用量である設定目標値を基に算出した第１目標値２１が表示されている。
【００３７】
第２グラフ領域８には、バーグラフで表される第２グラフ２３が、第１グラフ１８の時間座標軸１９に並行するように表示されている。具体的には、第２グラフ２３は、帯状で、水平方向に進退するグラフである。
【００３８】
また、第２グラフ領域８には、第２グラフ２３の基端が、上下方向において、時間座標軸１９の基端と一致するように表示されている。一方、第２グラフ２３の先端は、時間座標軸１９の先端（時間座標軸１９の最大の目盛りに対応する位置）よりも、外方に位置するように表示されている。すなわち、第２グラフ２３のほうが、第１グラフ１８よりも、時間座標軸１９方向の長さ（ここでは、水平方向の長さ）が長くなるように、表示されている。これにより、エネルギー使用量の累積値である実績値が、設定目標値よりも大きくなっても、第２グラフ２３（正確には、第２グラフ領域８内）に表示することができる。
【００３９】
また、第２グラフ領域８には、設定目標値２４が、上下方向において、時間座標軸１９の最大の目盛りと一致するように表示されている（設定目標値２４が、時間座標軸１９の最大の目盛りに対応する位置に表示されている）。
【００４０】
さらに、第２グラフ領域８には、エネルギー累積使用量の目標値である現在目標値２５が、上下方向において、第２グラフ２３における時間座標軸１９の現時点と一致するように表示されている（現在目標値２５が第２グラフ２３における時間座標軸１９の現時点に対応した位置に表示されている）。
【００４１】
［表示装置の操作方法］
次に、本実施の形態１に係る給湯装置１００の表示装置５１の操作方法について、図１乃至図８を参照しながら説明する。なお、以下の説明においては、表示装置５１による給湯器５２の操作方法については、本発明の動作と関係が小さいため、その説明を省略する。
【００４２】
図４乃至図８は、図２に示す表示装置における表示手段が表示する画面の一例を示す模式図である。なお、図８においては、第１グラフ領域７等の符号を省略している。
【００４３】
まず、利用者が、図２に示す表示装置５１のエコライブラリースイッチ１０を押す。この指令により、制御手段５は、表示灯１１を点灯させ、図４に示すエコライブラリーメニュー画面を表示手段４の表示画面１３に表示させる。
【００４４】
次に、利用者は、▽キー１５及び△キー１６を操作して、図４に示すエコライブラリーメニュー画面のカーソル２６を移動させ、エコライブラリー設定を選択し、確定キー１７を押す。この指令により、制御手段５は、図５に示すエコライブラリー設定画面を表示手段４の表示画面１３に表示させる。
【００４５】
次に、利用者は、▽キー１５及び△キー１６を操作して、図５に示すエコライブラリー設定画面のカーソル２６を移動させ、電気目標値設定を選択し、確定キー１７を押す。この指令により、制御手段５は、図６に示す電気目標値設定画面を表示手段４の表示画面１３に表示させる。なお、図６においては、１ヶ月あたりの目標値を設定する画面を表示していて、記憶手段３に記憶されている先月の電気使用量の実績値（累積値）と前年度の同月における電気使用量の実績値（累積値）を表示している。
【００４６】
また、制御手段５は、設定目標値を表示画面１３に表示させる。具体的には、制御手段５は、図６に示すように、白黒反転された設定エリア２７に、現時点での設定目標値を表示させる。なお、設定目標値は、上述したように、目標設定手段６により、適宜設定される。また、利用者は、設定目標値を変更する場合には、▽キー１５及び△キー１６を操作して、設定エリア２７に表示される数値を増減させて、確定キー１７を押す。一方、設定目標値を変更しない場合には、利用者は、そのまま確定キー１７を押す。
【００４７】
設定目標値が設定される（利用者が確定キー１７を押すと）と、図７に示すエコライブラリーメニュー画面を表示手段４の表示画面１３に表示させる。利用者は、▽キー１５及び△キー１６を操作して、図７に示すエコライブラリーメニュー画面のカーソル２６を移動させ、電気使用量ナビを選択し、確定キー１７を押す。なお、図４と図７に示す表示手段４の表示画面１３は、カーソル２６の位置が異なるだけで、同じ画面である。
【００４８】
この指令により、制御手段５は、図３に示す画面を表示させる。具体的には、制御手段５は、図６で設定された設定目標値を設定目標値２４として、第２グラフ領域８の時間座標軸１９の最大の目盛りに対応した位置に表示させる。
【００４９】
また、制御手段５は、図６で設定された設定目標値を基にして、下記［数１］により、現在目標値を算出し、該算出した現在目標値を現在目標値２５として、第２グラフ領域８に表示させる。
【００５０】
［数１］
ＡＮ＝Ａ２×Ｔ０／Ｔ２
ＡＮ：現在目標値
Ａ２：設定目標値
Ｔ０：第２期間の開始時点から現時点までの経過時間
Ｔ２：第２期間
また、制御手段５は、第２期間開始時点から現時点までの電気使用量（エネルギー使用量）の累積値を下記［数２］により算出し、該算出した累積値を第２グラフ２３のバーグラフ値として、第２グラフ領域８に表示させる。
【００５１】
［数２］
Ｄ２＝Ｒ２×Ｔ２／Ａ０
Ｄ２：バーグラフ値
Ｒ２：エネルギー使用量を第２期間の開始時点から現時点まで累積した値
Ｔ２：第２期間
Ａ０：設定目標値
また、制御手段５は、記憶手段３に記憶されている第１累積値を第１グラフ１８として、第２期間の開始時点から現時点まで第１期間ごとに第１グラフ領域７に表示させる。
【００５２】
さらに、制御手段５は、第１期間におけるエネルギーの目標使用量である第１目標値を図６で設定された設定目標値に基づいて算出し、該算出した第１目標値を第１目標値２１として表示するとともに、線グラフ２８として、第１グラフ領域７に第１グラフ１８と重ねて表示させる。ここで、本実施の形態１においては、第１目標値２１は、設定目標値（３４０７ｋＷｈ）を第２期間（３０日）で除算した値である。
【００５３】
なお、図３に示す画面を表示させているときに、▽キー１５を押すと、先月分のエネルギー使用量（電気使用量）の画面（グラフ）が表示される（図８参照）。この場合、現時点は、第２期間の終了時点を過ぎているため、第２グラフ領域８には、現在目標値２５が表示されない。また、図８に示す画面を表示させているときに、△キー１６を押すと、図３に示す今月分のエネルギー使用量（電気使用量）の画面（グラフ）が表示される。
【００５４】
このように構成された本実施の形態１に係る表示装置５１及びそれを備える給湯装置１００では、第１期間ごとの電気使用量を示す第１グラフ１８と、電気エネルギー使用量の累積値を示す第２グラフ２３を１の画面で表示させることにより、利用者にとって、従来技術よりも１の画面で多くの情報を得ることができる。
【００５５】
また、例えば、第２期間の途中で、電気エネルギーの使用量の累積値が現在目標値２５を超えたような場合であっても、第１グラフ領域７には、第１目標値２１及び線グラフ２８が表示されているため、表示画面１３を切り替えることなく、第１期間ごとの目標値を知ることができるため、従来技術に比して、利用者に省エネルギー意識を喚起することができる。
【００５６】
また、現在目標値２５及び設定目標値２４を第１グラフ１８の時間座標軸１９と関連付けるようにして表示しているため、利用者にとって、表示画面１３に表示されている情報が持つ意味を理解しやすい。
【００５７】
したがって、本実施の形態１に係る表示装置５１及びそれを備える給湯装置１００では、従来技術に比して、利用者に省エネルギー意識を喚起することができ、画面を切り替えるといった操作を簡略化することができ、利便性に優れる。
【００５８】
（実施の形態２）
本発明の実施の形態２に係る表示装置及びそれを備える給湯装置は、第１期間が１日、第２期間が１週間である態様を例示するものである。なお、本実施の形態２に係る表示装置５１及びそれを備える給湯装置１００は、実施の形態１に係る表示装置５１及び給湯装置１００と基本的構成が同じであるため、構成の説明を省略する。
【００５９】
［表示手段の構成］
図９及び図１０は、本発明の実施の形態２に係る表示装置における表示手段が表示する画面の一例を示す模式図である。なお、図１０においては、第１グラフ領域７等の符号を省略している。
【００６０】
図９に示すように、本変形例１の表示装置５１における表示手段４が表示する画面のレイアウトは、実施の形態１に係る表示装置５１における表示手段４が表示する画面のレイアウトと基本的には同じであるが、第２期間が１週間である点が異なる。このため、時間座標軸１９の最大の目盛りが７（日）と表示されている。また、表示手段４の第２グラフ領域８の上方には、目標設定手段６が設定した今週の設定目標値（本変形例１においては、７４８．１ｋＷｈ）と、第２期間開始時点から現時点までのエネルギー使用量の累積値である実績値（本変形例１においては、４００．６ｋＷｈ）が表示されている。
【００６１】
なお、図９に示す画面を表示させているときに、▽キー１５を押すと、先週分のエネルギー使用量（電気使用量）の画面（グラフ）が表示される（図１０参照）。この場合、現時点は、第２期間の終了時点を過ぎているため、第２グラフ領域８には、現在目標値２５が表示されない。また、図１０に示す画面を表示させているときに、△キー１６を押すと、図９に示す今週分のエネルギー使用量（電気使用量）の画面（グラフ）が表示される。
【００６２】
このように構成された本実施の形態２に係る表示装置５１及びそれを備える給湯装置１００であっても、実施の形態１に係る表示装置５１及びそれを備える給湯装置１００と同様の作用効果を奏する。
【００６３】
［変形例１］
次に、本実施の形態２に係る表示装置５１及びそれを備える給湯装置１００の変形例について説明する。
【００６４】
ところで、表示装置５１及びそれを備える給湯装置１００の利用者の生活スタイルは、様々である。例えば、ウィークエンドの電気使用量がウィークディの電気使用量よりも小さい場合や、その逆の場合も想定される。また、季節によっても、電気使用量は異なると想定される。このため、本変形例の表示装置５１及びそれを備える給湯装置１００では、利用者の生活スタイルに合わせて、現在目標値を変更できるように、制御手段５が構成されている。
【００６５】
本変形例１の表示装置及びそれを備える給湯装置は、制御手段が、現在目標値を第２期間開始時点から経過した時間によって変更するように構成されている態様を例示するものである。なお、本変形例１の表示装置５１及びそれを備える給湯装置１００は、実施の形態２に係る表示装置５１及び給湯装置１００と基本的構成が同じであるため、構成の説明を省略する。
【００６６】
［表示手段の構成］
図１１は、本変形例１の表示装置における表示手段が表示する画面の一例を示す模式図である。
【００６７】
図１１に示すように、本変形例１の表示装置５１における表示手段４が表示する画面のレイアウトは、実施の形態２に係る表示装置５１における表示手段４が表示する画面のレイアウトと基本的には同じであるが、第１目標値２１が第２期間開始時点から経過した時間によって、変更されて表示されている点が異なる。
【００６８】
すなわち、制御手段５が、第１目標値２１を第２期間開始時点から経過した時間によって、変更するように構成されている。そして、第１目標値２１が第２期間開始時点から経過した時間によって変更されるため、制御手段５は、現在目標値２５を第２期間開始時点から経過した時間によって変更するように構成されている。
【００６９】
具体的には、制御手段５は、記憶手段３に記憶された第１期間ごとの第１目標値２１の種々のパターンから１のパターンを選択して、該選択したパターンに基づいて、第１目標値２１を設定する。より詳細には、本変形例１においては、制御手段５は、１日〜５日の第１目標値２１を高く設定し、６日及び７日の第１目標値２１を低く設定したパターンを選択し、当該パターンと、目標設定手段６が設定した設定目標値に基づいて、１〜７日の第１目標値２１を設定する。
【００７０】
また、制御手段５は、これらの第１目標値２１の設定を基にして、現在目標値２５を設定する。そして、制御手段５は、第１目標値２１及び現在目標値２５を表示手段４の表示画面１３に表示させる。
【００７１】
このようにして、第１目標値２１及び現在目標値２５が、表示手段４の表示画面１３に表示されるため、第２グラフ２３のバーグラフ値は、制御手段５により、各第１期間における第１目標値２１の設定値に比例するように、適宜、算出される。そして、制御手段５は、算出したバーグラフ値を基にして、表示手段４の表示画面１３に第２グラフ２３を表示させる。
【００７２】
なお、本変形例１では、制御手段５が、記憶手段３に記憶された種々の第１目標値２１のパターンから１のパターンを選択して、第１目標値２１を設定するように構成したが、これに限定されない。例えば、利用者が、タッチパネル群１２を操作することにより、第１目標値２１のパターンを作製して、該作製したパターンを基に制御手段５が第１目標値２１を設定するように構成してもよい。
【００７３】
このように構成された本変形例１の表示装置５１及び給湯装置１００であっても、実施の形態２に係る表示装置５１及び給湯装置１００と同様の作用効果を奏する。また、本変形例１の表示装置５１及び給湯装置１００では、より利用者の生活スタイルに合わせて、第１目標値２１や現在目標値２５を設定することができるため、より利用者に省エネルギー意識を喚起することができる。
【００７４】
（実施の形態３）
本発明の実施の形態３に係る表示装置及び給湯装置は、計時手段が第２期間よりも長い期間である第３期間を計時し、表示装置が第３期間におけるエネルギーの目標使用量である設定目標値を設定するように構成された目標設定手段を備え、制御手段は、目標設定手段が設定した設定目標値から第２期間におけるエネルギーの目標使用量である第２目標値を算出し、第３期間開始時点から現時点までのエネルギー使用量の累積値を［数３］により算出し、該算出した累積値を前記第２グラフのバーグラフ値として表示させ、現在目標値を［数４］により算出する態様を例示するものである。
【００７５】
［数３］Ｄ４＝Ｒ４×Ｔ３／Ａ３
Ｄ４：バーグラフ値
Ｒ４：エネルギー使用量を第２期間の開始時点から前記現時点まで累積した値
Ｔ３：第３期間
Ａ３：設定目標値
［数４］ＡＮ＝Ａ２×Ｔ０／Ｔ２
ＡＮ：現在目標値
Ａ２：第２目標値
Ｔ０：第２期間の開始時点から前記現時点までの経過時間
Ｔ２：第２期間
［給湯装置の構成］
本発明の実施の形態３に係る表示装置５１及びそれを備える給湯装置１００は、実施の形態１に係る表示装置５１及び給湯装置１００と基本的構成は同じであるが、計時手段１及び目標設定手段６の構成が、以下のように異なる。計時手段１は、第２期間よりも長い期間である第３期間を計時するように構成されている。具体的には、第１期間が１時間であり、第２期間が１日であり、第３期間が１ヶ月である。
【００７６】
また、目標設定手段６が、設定目標値を第３期間におけるエネルギーの目標使用量として設定するように構成されている。そして、制御手段５が、目標設定手段６が設定した前記第３期間における設定目標値から、第２期間におけるエネルギーの目標使用量である第２目標値を算出し、該算出した第２目標値を基に、上記［数３］及び［数４］により、バーグラフ値及び現在目標値を算出するように構成されている。
【００７７】
なお、本実施の形態３に係る表示装置５１の外観構成は、実施の形態１に係る表示装置５１と同じであるため、その説明を省略する。
【００７８】
［表示手段の構成］
図１２及び図１３は、本発明の実施の形態３に係る表示装置における表示手段が表示する画面の一例を示す模式図である。
【００７９】
図１２に示すように、本実施の形態３に係る表示装置５１における表示手段４が表示する画面のレイアウトは、実施の形態１に係る表示装置５１における表示手段４が表示する画面のレイアウトと基本的には同じであるが、第２期間が１日である点が異なる。このため、時間座標軸１９の最大の目盛りが２３（時）と表示されている。なお、時間座標軸１９の最大の目盛りを２３としたのは、時間座標軸１９の最小の目盛りを０（時）としたことによる。
【００８０】
また、表示手段４の第２グラフ領域８の上方には、目標設定手段６が設定した今日の第２目標値（本実施の形態３においては、１０６．９ｋＷｈ）と、第２期間開始時点から現時点までのエネルギー使用量の累積値である実績値（本実施の形態３においては、５５．４ｋＷｈ）が表示されている。
【００８１】
ここで、第２目標値の算出方法について説明する。
【００８２】
まず、目標設定手段６が、設定目標値を設定する。設定目標値は、実施の形態１と同様に、適宜設定されるが、本実施の形態３においては、実施の形態１と同様に、３２０６ｋＷｈと設定されている。
【００８３】
そして、制御手段５が、目標設定手段６が設定した設定目標値（３２０６ｋＷｈ）に基づいて、第２目標値を設定する。具体的には、第２目標値は、３２０６ｋＷｈ／３０日で１０６．９ｋＷｈとなる。
【００８４】
また、図１２に示すように、表示手段４の表示画面１３には、第２グラフ領域８に第２目標値２９が表示されている。なお、第１グラフ領域７に表示されている第１目標値２１は、第２目標値を基にして、制御手段５が算出した値を表示している。
【００８５】
なお、図１２に示す画面を表示させているときに、▽キー１５を押すと、昨日のエネルギー使用量（電気使用量）の画面（グラフ）が表示される（図１３参照）。この場合、現時点は、第２期間の終了時点を過ぎているため、第２グラフ領域８には、現在目標値２５が表示されない。また、図１３に示す画面を表示させているときに、△キー１６を押すと、図１２に示す今日のエネルギー使用量（電気使用量）の画面（グラフ）が表示される。
【００８６】
このように構成された本実施の形態３に係る表示装置５１及びそれを備える給湯装置１００であっても、実施の形態１に係る表示装置５１及びそれを備える給湯装置１００と同様の作用効果を奏する。
【００８７】
なお、上記実施の形態１乃至３（変形例を含む）では、エネルギー使用量として、電力使用量を例示して、説明したが、お湯の使用量やガスの使用量は、その単位が、電力量から水量やガス量に代わるだけで、基本的には同じなので、その説明を省略する。
【００８８】
また、本発明の表示装置及びそれを備える給湯装置では、利用者が、タッチパネル群１２を操作することで、上記実施の形態１乃至３（変形例を含む）で記載した種々の画面に切り替えることができることは、言うまでもない。
【００８９】
上記説明から、当業者にとっては、本発明の多くの改良や他の実施形態が明らかである。したがって、上記説明は、例示としてのみ解釈されるべきであり、本発明を実行する最良の形態を当業者に教示する目的で提供されたものである。本発明の要旨を逸脱することなく、その構造及び／又は機能の詳細を実質的に変更できる。また、上記実施形態に開示されている複数の構成要素の適宜な組合せにより種々の発明を形成できる。
【産業上の利用可能性】
【００９０】
本発明に係る表示装置及びそれを備える給湯装置は、従来技術に比して、利用者に省エネルギー意識をより喚起することが可能となり、画面を切り替えるといった操作を簡略化することができ、利便性に優れているため、有用である。
【符号の説明】
【００９１】
１  計時手段
２  計測手段
３  記憶手段
４  表示手段
５  制御手段
６  目標設定手段
７  第１グラフ領域
８  第２グラフ領域
９  ダイレクトスイッチ群
１０  エコライブラリースイッチ
１１  表示灯
１２  タッチパネル群
１３  表示画面
１４  メニューキー
１５  ▽キー
１６  △キー
１７  確定キー
１８  第１グラフ
１９  時間座標軸
２０  データ座標軸
２１  第１目標値
２２  第１累積値
２３  第２グラフ
２４  設定目標値
２５  現在目標値
２６  カーソル
２７  設定エリア
２８  線グラフ
２９  第２目標値
５１  表示装置
５２  給湯器
１００  給湯装置
【図１】
2011179810.tif 000003
【図２】
2011179810.tif 000004
【図３】
2011179810.tif 000005
【図４】
2011179810.tif 000006
【図５】
2011179810.tif 000007
【図６】
2011179810.tif 000008
【図７】
2011179810.tif 000009
【図８】
2011179810.tif 000010
【図９】
2011179810.tif 000011
【図１０】
2011179810.tif 000012
【図１１】
2011179810.tif 000013
【図１２】
2011179810.tif 000014
【図１３】
2011179810.tif 000015
【図１４】
2011179810.tif 000016
【図１５】
2011179810.tif 000017